Podtech/llm-jp-corpus-v4-ja_patent huggingface dataset:
(57)【要約】      （修正有）【課題】一般に歯磨きをする場合歯のよごれを除去しようとして歯ブラシに力を入れてブラッシングする傾向がある、そのため従来の歯ブラシでは必要以上の力が加わってブラシの刺激から歯肉が逃げて歯根が露出し歯がしみたり、痛んだりする原因になることがあった。従って常に適当な圧力、約１２０ｇ−５０ｇを歯に作用させることのできる歯ブラシを提供する。【解決手段】ブラシ部１と首部２、柄部３からなる歯ブラシにおいて柄部を、先端部を除き弾力を有する薄板状にした。【選択図】図１
2016083329.tif 000002
【特許請求の範囲】
【請求項１】
ブラシ部、首部、柄部からなる歯ブラシにおいて柄部を、先端部を除き弾力を有する薄板状にしたことを特徴とする歯ブラシ。
【発明の詳細な説明】
【技術分野】
【０００１】本発明は常に適切なブラッシング圧で歯磨きを行うことのできる歯ブラシにかんする。
【背景技術】
【０００２】  歯ブラシには従来から各種形態、構造のものがある。それらの例として、歯磨きの際の  歯や歯肉への負担を減らすために曲折した弾力ある首部を柄に直結した（特許文献１）  が情報公開されている。
【先行技術文献】
【０００３】
【特許文献】
【特許文献】特開平２−２５７９０３
【発明の概要】
【発明が解決しようとする課題】
【０００４】  一般に歯磨きする場合、歯ブラシの持ち方により歯にかかる圧力が変わり、柄を鷲掴みにすると必要以上に強くなり少しでも軽減するために鉛筆の持ち方即ち柄を人差し指と親指で持つように歯科医が指導しているが今までの習慣により鷲掴みが多く他の持ち方にしても汚れを除去しようとして歯ブラシに力を入れ過ぎる傾向がある、そのため従来の歯ブラシでは歯ブラシの刺激にから歯肉が逃げて歯根が露出して歯がしみたり痛んだりする原因になることがあった。従って本発明は常に適当な力を歯に作用させることができる歯ブラシを提供することである。【０００５】  一方引用文献の場合は必用以上に圧力がかかりその調整が難しく理想の弾力が得にくい形状という問題があった。【０００６】  本発明はこのような従来の諸問題を解決しどのような柄の持ち方をしても歯に対して約１２０ｇから５０ｇの軽い力で磨くことができ、それにより小刻みの往復運動が容易にできる歯ブラシを提供することを目的とする。
【問題を解決しようとする手段】
【０００７】  ブラシ部、首部、柄部からなる歯ブラシにおいて柄部を、先端部を除き弾力を有する薄板状にしたことを特徴とする歯ブラシ。
【発明の効果】
【０００８】  歯に対して約１２０ｇから５０ｇの軽い力で磨くことができ、それにより歯肉を傷めることなく小刻みに往復運動が早く多くなり歯がつるつるになる。
【図面の簡単な説明】
【０００９】
【図１】本発明の側面図
【図２】本発明の正面図
【図３】本発明の使用時のたわみの状態を示す斜視図
【発明を実施するための形態】
【００１０】  ブラシ部、首部、柄部からなる歯ブラシにおいて柄部を、先端部を除き弾力を有する薄板状にしたことを特徴とする歯ブラシ。
【００１１】本発明は柄部を弾力のある薄板状にすることよりブラシ部を歯に押し当てて力を入れた場合、柄がたわみその復元力が歯にかかるため、どのような持ち方をしても約１２０ｇ―５０ｇの軽い力となるようにしている。なお柄部の端部を持つほど圧力が軽くなる。
実施例では材質を樹脂で薄板の厚みは１ｍｍ幅約１３ｍｍ長さ約８０ｍｍにしているが樹脂の種類等により限定するものではない。
【００１２】従来の歯ブラシのパッケージには軽い力で毛先を小刻みに動かして磨きましょう、力の入れ過ぎは歯茎を傷つける恐れがありますので無理なブラッシングはしないでください。とあるが本発明はブラシ部を歯に押し当ててどの様な力を入れても薄板状の柄がたわみその復元力が歯にかかるため軽い力で毛先を小刻みに早く動かせて歯がつるつるになる理想的な歯ブラシとなった。
【００１３】上記圧力の測定方法は秤の上にブラシ部を押しつけて柄部のたわみの限界までを１２０ｇにしており力を抜いて軽くブラッシングする場合は５０ｇになるようにしている。
【００１４】以上本発明について具体的に説明したが要旨を逸脱しない範囲で変更は可能である。
例えば柄の先端部まで弾力を有する薄板状にしてシンプルな形状とする。
【符号の説明】
【００１５】１    ブラシ部
２    首部
３    柄部
４    たわみ
５    歯
【図１】
2016083329.tif 000003
【図２】
2016083329.tif 000004
【図３】
2016083329.tif 000005
(57)【要約】【課題】立食パーティーやバーベキューなどの会食等の場面でワイン等の飲料に用いるグラスの置き場やこぼれないように意識しなければならないこと、移動する際にグラスを手に持って歩くことは不便であった。本発明は、グラス本体を安定して保持しうるぶら下げられるグラスホルダーを提供する。【解決手段】グラスの本体を軟質樹脂材、布または合成皮革、皮革等で保持することを特徴とし、グラスの本体を保持する材に円形の切込み（４）を入れグラスの脚部（１１）を支え、固定部（１）と固定部（２）を固定したときにグラス本体を保持する空間部（３）を設け、円形の切込み（４）の中心から外縁部（５）、外縁部（６）までを同距離とする。円形の切込み（４）の中心からひも固定部（７）ならびにひも固定部（８）までを同距離とする。首から下げるためのひも（９）を設ける。【選択図】図１
2016083327.tif 000002
【特許請求の範囲】
【請求項１】
グラスをぶら下げられることを特徴とするグラスホルダー。
【請求項２】
グラスホルダー（１０）に円形の切込み（４）を設け、グラスの脚部を保持することができ、固定部（１）と固定部（２）を固定すると、外縁部（５）と円形の切込み（４）、外縁部（６）と円形の切込み（４）とは同距離となることを特徴とするグラスホルダー
【発明の詳細な説明】
【技術分野】
【０００１】  この発明は、ワイン等の飲料に用いるグラスのホルダーに関する。
【背景技術】
【０００２】  ワイン等の飲料に用いるグラス（以下グラス）は上方から容器部を形成する本体（ボウル）、つなぎ部分となる脚（ステム）、そして全体を保持する台（プレート）の３要素から形成される。立食パーティーやバーベキューなどの会食等の場面でグラスを持ちながら食事をするとき、グラスの置き場やこぼれないように意識しなければならないことは、不便であり、移動する際にグラスを手に持って歩くことは不便である。また、自分の使用したグラスをテーブルに置くと、他人のものと間違える可能性があり衛生的にも問題であった。さらに、グラスを手に持った状態ではグラスを落下させることもあり安全面でも問題があった。このような問題を解決するために以前になされたものとして、特許文献１には、ステンレス線等線状の金属を用いて、或いはペットボトルの材質やプラスチック成形等により一体に形成し、そのホルダーにひもをつけて首から吊り下げられる形状を特徴としたグラスホルダーが公開されている。
【先行技術文献】
【特許文献】
【０００３】
【特許文献１】登録実用新案代３１４５７５０号
【発明の概要】
【発明が解決しようとする課題】
【０００４】  しかしながら、以上の技術によれば、ワイン等の飲料に用いるグラスについては本体の大きさはまちまちでありグラスの大きさに合わせてグラスホルダーを作成しなくてはならなかった。特許文献１の発明によれば、ワイン等を入れた状態ではグラス本体部分が安定せず飲料をこぼしてしまう可能性があった。
そこで、この発明は、ワイン等の飲料に用いるグラスをぶら下げられるグラスホルダーを提供することを課題とする。
【課題を解決するための手段】
【０００５】  以上の課題を解決するために、第一発明は、グラスの本体を軟質樹脂材、布または合成皮革、皮革等で保持することを特徴とするグラスホルダーである。
また、第二発明は、グラスの本体を保持する材に円形の切込み（４）を入れグラスの脚を支えグラス本体が安定することを特徴とするグラスホルダーである。
固定部（１）と固定部（２）を固定したときにグラス本体を保持する空間部（３）を設け、円形の切込み（４）の中心から外縁部（５）、外縁部（６）までを同距離とする。円形の切込み（４）の中心からひも固定部（７）ならびにひも固定部（８）までを同距離とする。首から下げるためのひも（９）を設ける。
以上の構成からなるグラスホルダー（１０）である。
【発明の効果】
【０００６】  本発明を使用することにより、立食パーティーやバーベキューなどの会食等の場面で、グラスの本体を支える形状であるためワイン等の飲料をこぼすことなく両手が使える。グラスを保持したままでいられるので、会場で他人のグラスと間違えるなどの衛生面の問題とグラスを不注意で落下させるという問題を解決できる。グラスの大きさにかかわらず使用することができる。
【図面の簡単な説明】
【０００７】
【図１】この発明の一実施形態を示す斜視図である。
【図２】この発明の平面図である
【図３】この発明の実施形態を示す平面図
【発明を実施するための形態】
【０００８】  以下、本発明の実施形態を説明する。
（イ）グラスホルダー（１０）の円形の切込み（４）にグラスの脚部（１１）を設置し固定部（１）と固定部（２）を固定し空間部（３）にグラス本体（１２）を設置する。
（ロ）固定部（１）と固定部（２）を固定すると、外縁部（５）と円形の切込み（４）、外縁部（６）と円形の切込み（４）とは同距離となる。
（ハ）ひも固定部（７）とひも固定部（８）にひも（９）を通し固定する。
【０００９】「実施形態の効果」
この実施形態によれば、円形の切込み（４）にグラスの脚部（１１）を設置することによりグラス本体（１２）が安定してグラスホルダーに固定される。
【符号の説明】
【００１０】１  固定部
２  固定部
３  空間部
４  円形の切込み
５  外縁部
６  外縁部
７  ひも固定部
８  ひも固定部
９  ひも
１０  グラスホルダー
１１  グラス脚部
１２  グラス本体
【図１】
2016083327.tif 000003
【図２】
2016083327.tif 000004
【図３】
2016083327.tif 000005
(57)【要約】      （修正有）【課題】大型寸胴鍋から小さめの容器に中身を移す際、両側の取っ手を持つと体のバランスが悪くなり中身が移しにくい。中身を移しやすくするための大型寸胴鍋を提供する。【解決手段】大型寸胴鍋従来の取っ手２と同じ位置の下方に新たな取っ手を設けた大型寸胴鍋。【選択図】図１
2016083328.tif 000002
【特許請求の範囲】
【請求項１】
従来の大型寸胴鍋の取っ手と同じ位置の下方に新たに取っ手を設けた大型寸胴鍋。
【発明の詳細な説明】
【技術分野】
【０００１】  本発明は、中身を移しやすく行える調理器具の大型寸胴鍋に関するものである。
【背景技術】
【０００２】従来は大型寸胴鍋から小さい容器に中身を移す際、大型寸胴鍋の両方の取ってを持って中身を移していた。
【発明が解決しようとする課題】
【０００３】  従来の大型寸胴鍋から小さい容器に中身を移す際、大型寸胴鍋の両方の取っ手を持っていたが、体の重心がずれて中身が移しにくく零れてしまう。
本発明は、以上の問題点を解決するためになされたものである。
【課題を解決するための手段】
【０００４】  大型寸胴鍋の従来の取っ手と同じ位置の下方に新たな取っ手を設ける。
以上の構成よりなる大型寸胴鍋。
【発明の効果】
【０００５】  本発明により大型寸胴鍋からの中身の移しかえが、従来ある左右の取っ手を両手で持つのではなく、上下左右の取っ手を両手で持つことになるので、体のバランスもとれ、なお力も入れやすく安定するので中身を零さず移しかえができる。
【図面の簡単な説明】
【０００６】
【図１】本発明の斜視図
【図２】本発明の使用状態を示す斜視図
【発明を実施するための形態】
【０００７】  以下、本発明の実施の形態を説明する。
（イ）大型寸胴鍋（１）に取っ手（２）を従来の取っ手両方の下方に設ける。
本発明は以上のような構造である。
本発明を使用するときは、従来の取っ手片側と、その下方にある取っ手（２）を両手で持ち中身を移す。
【符号の説明】
【０００９】    １  大型寸胴鍋、２  取っ手、３  水、
【図１】
2016083328.tif 000003
【図２】
2016083328.tif 000004
(57)【要約】【課題】  正解値を特定するには問題の配置を紙面上に正確かつ判りやすく整理しなければならない。難問では、残る空白セルの正解候補値を仮正解値にして試行を繰り返さなければならず、手作業による解答は時間がかかる。【解決手段】  エクセル上に問題の９×９のセルの「解答テーブル」とセル毎に９セルの正解候補値を自動表示する「サブセルテーブル」を設ける。新たな正解値を「問題テーブル」に入れ、その数値は正解値にならない残る空白セルの「サブセルテーブル」から除くとどこかの空白セルで正解候補値が１つになりセルの正解値になる。ヒントが少なく途中で正解候補値が１つにならない問題は空白セルに残る正解候補値を仮正解値に設定し解答処理を繰り返す。全てのセルに数値が入ると確認のため数値の合計が４０５のとき処理を完了させ解答経過を画面に表示する。この一連処理をエクセルでプログラム化する。【選択図】図１
2016083321.tif 000002
【特許請求の範囲】
【請求項１】
問題の９×９セルの「解答テーブル」とセル毎に９つのサブセルを設けた「サブセルテーブル」をエクセル上でリンクさせ、「解答テーブル」の空白セルにある正解候補値を「サブセルテーブル」に表示させる。正解候補値が１つになった空白セルを探し正解値を「解答テーブル」に入れ、その数値は正解値にならない残る空白セルの「サブセルテーブル」から除くと、どこかの空白セルで正解候補値が１つになりセルの正解値が見つかる。ヒントが少なく途中で正解候補値が１つにならない問題は、空白セルに残る正解候補値を仮正解値にして解答処理を繰り返す。全てのセルに数値が入ると確認のため数値の合計が４０５のとき処理を完了させる。完了後、全ての正解値と完了時の仮正解値をパソコン画面上に表示し確認する。この一連処理をエクセルでプログラム化する。
【発明の詳細な説明】
【技術分野】
【０００１】  パソコンのソフト、エクセルを利用したナンプレの解法に関するものである。
【背景技術】
【０００２】  ナンプレは、たてよこ９×９の枠（セル）に１〜９までの数字を入れてゆくペンシルパズルで、問題に配置された２０〜３０前後の数字をヒントに、ルールにそって空白セルの正解値を特定する。解答作業は数字の配列を手作業により紙面などに整理したものを基に目視により正解値を探す方法がとられている。
【先行技術文献】
【非特許文献】
【０００３】
【非特許文献１】  毎日新聞、西日本新聞紙上
【非特許文献２】  池田書店出版「ナンプレじっくり難解２００」ほか
【非特許文献３】  ホームページ「ｈｔｔｐ：／／ｗｉｋｉｐｅｄｉａ．ｏｒｇ／ｗｉｋｉ／」ほか
【発明の概要】
【発明が解決しようとする課題】
【０００４】  ルールより問題のよこに並ぶ９枠（セル）、たてに並ぶ９枠（セル）及び太線で囲まれる３×３の９枠（セル）の各ブロック内に１〜９の数字が１回ずつ入り、問題中の正解値は、正解とならない空白セルの正解候補値から除かれるため、候補となる数値を紙面上に正確かつ判りやすく整理して正解値を特定しなければならない。難問レベルでは残る空白セルの正解候補値を正解値に仮定し手作業による試行を繰り返さなければならず煩雑であり、解答に時間がかかる。
【課題を解決するための手段】
【０００５】  解答工程を正確かつ判りやすく整理するためにエクセルを利用して９×９セルの「解答テーブル」とセル毎に正解候補値を表示する９セルの「サブセルテーブル」を設け、「解答テーブル」の空白セルに残る正解候補値を「サブセルテーブル」に自動的に表示するようリンクさせる。「問題テーブル」に新たな正解値を入れたとき、ルール上その数値は正解値とならない空白セルの「サブセルテーブル」から除いてゆけばどこかの空白セルで正解候補値が１つになりセルの正解値となる。ヒントが少なく途中で正解候補値が１つにならない問題は空白セルの正解候補値を仮正解値に設定し残る全てのセルの数値が見つかるまで解答処理を繰り返す。全てのセルに数値が入ると確認のためその数値の合計が４０５のとき処理を完了させる。完了後、全ての正解値と完了時の仮正解値をパソコン画面上に表示し確認する。この解答処理をエクセルでプログラム化した「解答ファイル」を作成する。
【発明の効果】
【０００６】  残る正解候補値の整理が正確にでき、プログラムにより正解候補値が１つになったセルの正解値を探すため時間がかからず解答処理が速やかに進む。
【図面の簡単な説明】
【０００７】
【図１】  問題テーブル、問題例と解答結果及びサブセルテーブルと正解の一部
【発明を実施するための形態】
【０００８】  パソコンのエクセル上に「解答ファイル」を開き、「問題テーブル」に問題を設定する。同一画面上の「実行」と表示した図形をクリックして解答処理を開始する。処理完了後に、「チェック」と表示した図形をクリックし、全ての正解値と完了時の仮正解値を画面上で確認する処理を行う。
【実施例１】
【０００９】図１のサブセルテーブルは、問題例の正解候補値で右に解答例（一部）を記載
【産業上の利用可能性】
【００１０】  この発明は、データの配置から条件（ルール）を満した解析結果を表示するようにしており、データ（正解値）を追加すると新たな解析結果（解答）が現われる。他分野においても複雑な制約（ルールなど）を満たす結果を表示できるようエクセル上に備えれば、データの変化に伴う解析結果の動向が見てとれ問題解決のスピード化が図られると考える。
【図１】
2016083321.tif 000003
【手続補正書】
【提出日】平成27年2月18日(2015.2.18)
【手続補正１】
【補正対象書類名】図面
【補正対象項目名】図１
【補正方法】変更
【補正の内容】
【図１】
2016083321.tif 000004
(57)【要約】【課題】    従来のブラシによる頭皮の洗浄はシャンプー等による洗浄時には洗浄用ブラシを頭皮に当て前後左右に動かすか、あるいは回転運動によって洗浄するものが主流であった。これではブラシの運動によって頭皮や頭髪がブラシによる摩擦によって、傷つき頭皮および毛根や頭髪にも悪影響を及ぼすことが考えられた。【解決手段】    基台下部に敷設された円柱突起部に伸縮特性を有する樹脂材を用い型形成によって筒型樹脂部材に形成しその適切な部位に、伸縮特性および弾力特性をより高めるため型形成により周囲突起部を施し、基台下部の円柱突起部に嵌め込み敷設した化粧用吸引排気式洗浄器具を提供するものである。【選択図】図１
2016083322.tif 000002
【特許請求の範囲】
【請求項１】
基台の下部に複数個の円柱突起部を敷設し、その突起部に伸縮特性を有する樹脂材によって型形成された、筒型樹脂部材を敷設した構成による吸引および排気機能を有する化粧用吸引排気式洗浄器具。
【請求項２】
請求項１に記載の筒型樹脂部材の適切な部位に、伸縮特性および弾力特性をより高めるため型形成により周囲突起部を施した構造の化粧用吸引排気式洗浄器具。
【請求項３】
上記、請求項１記載の基台下部に敷設された円柱突起部に、請求項２記載の周囲突起部を施した筒型樹脂部材を嵌め込み敷設された構造の化粧用吸引排気式洗浄器具。
【発明の詳細な説明】
【技術分野】
【０００１】  本発明は、頭皮頭髪の洗浄およびマッサージ効果等に関する化粧用吸引排気式洗浄器具に関する。
【背景技術】
【０００２】
【特許文献１】特開２００５−１６０６８４号広報
【特許文献２】実願２００５−３９７２号広報
【０００３】  従来の頭皮頭髪の洗浄ブラシは、ブラシ先端部が球状体または丸みをおびた樹脂性ブラシ部が敷設されたものを頭皮に当て、前後左右または回転作用をすることによって洗浄するものが主流であった。
【発明の開示】
【発明が解決しようとする課題】
【０００４】  上記述べた従来のブラシによる洗浄では、頭皮と頭髪の間に摩擦が生じ頭皮や頭髪が傷つきやすく育毛にも影響を及ぼすことが考えられた。
【課題を解決するための手段】
【０００５】  本発明は、従来の洗浄方法を変えることによって上記述べた問題を解決することを目的とするものである。【０００６】  伸縮および弾力特性を有する樹脂材を用い型形成によって、筒型樹脂部材に形成する。【０００７】  その型形成された筒型樹脂部材の適切な部位に伸縮および弾力特性を高めるため型形成によって周囲突起部を形成する。【０００８】  上記記載の周囲突起部が形成された筒型樹脂部材を、基台下部に付設された複数個の円柱突起部に嵌め込み敷設する。
【発明の効果】
【０００９】  頭皮の洗浄時において基台を頭皮に当て、押したり離したりの上下動作によって基台先端部に敷設された筒型樹脂部材の周囲突起部が伸縮する。【００１０】  上記基台の上下動作によって周囲突起部が伸縮する事により頭皮と筒型樹脂部の間に吸引作用と排出作用が発生する。【００１１】  基台周囲突起部が頭皮面に押されて縮んだ時は筒型樹脂部に気圧が加わり頭皮との間に排出作用が発生し、反対に周囲突起部が伸びて戻ろうとする時には頭皮と筒型樹脂部の間には吸引作用が発生する。【００１２】  本発明は、上記記載の吸引作用と排出作用によって洗浄するため頭皮や頭髪に摩擦が生じることが非常に少なく、頭皮頭髪が傷つくことなく洗浄することができる。
【発明の実施するための最良の形態】
【００１３】  化粧用吸引排気式洗浄器具を頭皮に当て押したり離したりの上下動作（軽く叩く動作）によって基台先端部に敷設された筒型樹脂部材の周囲突起部が伸縮する。
【００１４】  上記、基台の上下動作によって周囲突起部が縮まる事により筒型樹脂部材と頭皮の間に圧力が発生しその発生した気圧が頭皮の毛穴から毛根に伝わる。
【００１５】  次に、頭皮から貴台を戻す（頭皮から離す）ことによって縮んだ筒型樹脂部材の周囲突起部が元に戻ろうとするため、次に頭皮と筒型樹脂部内には吸引作用が生じる。
【００１６】  上記記載のとおり、基台を頭皮に当て押し付けることで周囲突起部が縮まり頭皮と筒型樹脂部の間に気圧が発生し、頭皮の毛穴を開き次に基台を頭皮から離すことにより毛穴の汚れを吸い出す働きをするため、頭皮や頭髪を傷めることなくやさしくきれいに洗浄することができる。
【００１７】  また、本発明は吸引作用と排気作用機能を有した構造によって構成されていることから頭皮の洗浄以外、他の用途にも期待と効果もたらすことが十分考えられる。
【００１８】  たとえば、肌に接する部位が樹脂性の構造物であり吸引作用と排気作用で構成されているため、肌に優しく適度な刺激をもたらすことが出来るため顔肌面にも使用することが出来、顔肌のマッサージ効果もさらに期待される。
【図面の簡単な説明】
【００１９】
【図１】  正面図（背面図は正面図と対称になるため省略する）
【図２】  右側面図（左側面図は右側面図と対称になるため省略する）
【図３】  平面図
【図４】  底面図
【図５】  斜視参考図
【図６】  Ａ−Ａ’線断面図
【図７】  組立参考図
【符号の説明】
【００２０】      １    基台
２    円柱突起部
３    筒型樹脂部
４    周囲突起部
５    把持部
【図１】
2016083322.tif 000003
【図２】
2016083322.tif 000004
【図３】
2016083322.tif 000005
【図４】
2016083322.tif 000006
【図５】
2016083322.tif 000007
【図６】
2016083322.tif 000008
【図７】
2016083322.tif 000009
(57)【要約】【課題】マイバスケットで買い物をした時、会計後買い物済みのテープを貼付するだけなのでバスケットの中身が丸見えで、プライバシーを守ることができなかった。また、たくさん商品がバスケットに入っていると、上部の商品が落ちてしまう可能せいがあった。  本発明は、マイバスケットを覆うマイバスケットのカバーを提供する。【解決手段】  マイバスケットを覆うことができるゆったりした布の周辺部にゴムを入れ、覆う面の布の中央部にマイバスケットの取っ手がでるように直線の切り込みを入れ、切り込み部分の中央両端面に着脱可能なテープを設けたことを特徴とするマイバスケットカバー。【選択図】図１
2016083330.tif 000002
【特許請求の範囲】
【請求項１】
マイバスケットを覆うことができるゆったりした布の周辺部にゴムを入れ、覆う面の布の中央部にマイバスケットの取っ手がでるように直線上の切り込みを入れ、切り込み部分の中央両端面に着脱可能なテープを設けたマイバスケットカバー。
【発明の詳細な説明】
【技術分野】
【０００１】  本発明は、買い物をする際に使用するマイバスケットに被せるマイバスケットカバーに関するものである。
【背景技術】
【０００２】  従来、買い物時、マイバスケットを使用すると、会計後、会計済みのテープをつけてもらっていた。
【先行技術文献】
【特許文献】
【０００３】
【特許文献１】  特開２００９−２６４７２６号公報
【特許文献２】  特開２０１０−１８７９５５号公報
【発明の概要】
【発明が解決しようとする課題】
【０００４】  マイバスケットで買い物をした時、会計後買い物済みのテープを貼付するだけなのでバスケットの中身が丸見えで、プライバシーを守ることができなかった。また、たくさん商品がバスケットに入っていると、上部の商品が落ちてしまう可能性があった。
本発明は、以上の問題点を解決するためになされたものである。
【課題を解決するための手段】
【０００５】  マイバスケットを覆うことができるゆったりした布の周辺部にゴムを入れ、覆う面の布の中央部にマイバスケットの取っ手がでるように直線の切り込みを入れ、切り込み部分の中央両端面に着脱可能なテープを設ける。
以上の構成によりなるマイバスケットカバー。
【発明の効果】
【０００６】  マイバスケットにカバーを被せることにより、プライバシーが守られ防犯上において安全である。覆う布にゆとりを持たせることによって、たくさんの商品を包むことができ、マイバスケットからの落下を防ぐことができる。
布を用いることにより、マイバスケットへの着脱が非常に簡単であり嵩張らない。
【図面の簡単な説明】
【０００７】
【図１】本発明の全体斜視図
【図２】本発明の使用状態を示す斜視図
【本発明を実施するための形態】
【０００８】  以下、本発明の実施の形態を説明する。
（イ）布（１）の周りに、ゴム（２）を通す。
（ロ）布（１）中心部に直線の切り込み（３）を入れる。
（ハ）切り込み（３）の中央両端面にそれぞれ、着脱可能なテープ（４）を設ける。
本発明は以上のような構造である。
本発明を使用するときは、
（イ）布（１）をマイバスケット（５）に被せ、切り込み（３）部からマイバスケット（５）の取っ手（６）を出し、切り込み中央両端面に設けた着脱可能なテープ（４）で固定させる。
（ロ）マイバスケット（５）の取っ手（６）を出さずに使用する時は、マイバスケット（５）の取っ手を寝かせ、中央両端面の設けた着脱可能なテープ（４）で固定する。
【０００９】１布、２ゴム、３切り込み、４着脱可能なテープ、５マイバスケット、６取って
【図１】
2016083330.tif 000003
【図２】
2016083330.tif 000004
(57)【要約】【課題】  少ない敷設面で、より多くの効率のよい発電を提供する。【解決手段】  ソーラーパネル（１）の間に凸レンズ（３）を設け、ソーラーパネル（１）の下方にソーラーパネル（２）を設け、ソーラーパネル（２）の間に反射板（４）を設け、凸レンズの下に山型と平面を組み合わせた反射板（５）を設けたこと特微とする。【選択図】図１
2016063207.tif 000002
【特許請求の範囲】
【請求項１】
ソーラーパネル（１）の間に凸レンズ（３）を設け、ソーラーパネル（１）の下方にソーラーパネル（２）を設け、ソーラーパネル（２）の間に反射板（４）を設け、凸レンズの下に山型と平面を組み合わせた反射板（５）を設けたことを特微とする立体型ソーラーパネル。
【発明の詳細な説明】
【技術分野】
【０００１】  この発明はソーラーパネルを立体に配置し、凸レンズと反射板を用いた発電システムである。
【背景技術】
【０００２】  従来、ソーラーパネルは、敷設面に対して平面の設置である。
【先行技術文献】
【特許文献】
【０００３】
【特許文献１】  特開２００７−０１９２９９号公報
【発明の概要】
【発明が解決しようとする課題】
【０００４】  これは、つぎのような欠点があった。
従来、ソーラーパネルは、敷設面に対して平面の設置であるので、敷設面積が少ないと、小量の発電しかできなかった。また太陽光の角度によっては、十分な発電ができなかった。
本発明は、以上のような欠点をなくすためになされたものである。
【課題を解決するための手段】
【０００５】  ソーラーパネル（１）の間に凸レンズ（３）を設け、ソーラーパネル（１）の下方にソーラーパネル（２）を設け、ソーラーパネル（２）の間に反射板（４）を設け、凸レンズの下に山型と平面を組み合わせた反射板（５）を設ける。
本発明は以上の構成よりなる立体型ソーラーパネルである。
【発明の効果】
【０００６】  凸レンズにより太陽光を効率よく集光することができ、反射させる事により下方に設けたソーラーパネルに太陽光を照射する事で敷設面が少なくても、より多くの発電が得られる。
【図面の簡単な説明】
【０００７】
【図１】  本発明の断面図である。
【発明を実施するための形態】
【０００８】  以下、本発明を実施するための形態について説明する。
ソーラーパネル（１）の間に凸レンズ（３）を設け、ソーラーパネル（１）の下方にソーラーパネル（２）を設け、ソーラーパネル（２）の間に反射板（４）を設け、凸レンズの下に山型と平面を組み合わせた反射板（５）を設ける。
本発明は、以上のような構造である。
本発明を使用するときは、敷設面が少ない場所、または大規模発電所などに使用すればいい。
【符号の説明】
【０００９】  １  ソーラーパネル
２  ソーラーパネル
３  凸レンズ
４  反射板
５  反射板
【図１】
2016063207.tif 000003
(57)【要約】【課題】本発明は不安定な自然まかせの風力発電から計画発電  安定供給を提供する。【解決手段】風力発電設備の主要部であるブレードをホイールに付け替え直接ハブを回転させ発電させる事を特徴とする【選択図】図２
2016063730.tif 000002
【特許請求の範囲】
【請求項１】
図２で従来の風力発電設備の内
ブレードを伝導ホイールに付け替え、風力ではないハイブリット動力で直接ハブを回転させ発電させる事を特徴とする無風力ハイブリット発電。
【請求項２】
図３でブレードを磁石を取り付けたホイールに付け替えその内側に伝導ホイールを具備し、風力ではないハイブリット動力で回転させる事で磁石側のホイールも回転し、ハブを回転させ発電できる事を特徴とする。無風力ハイブリット発電。
【発明の詳細な説明】
【技術分野】
【技術分野】
【０００１】本発明は従来の風力発電設備のブレードを伝導ホイールに付け替え、ハイブリットで発電させようとする事に関するものである。
【背景技術】
【０００２】従来、自然の吹く、風力でのみ発電していた。
【先行技術文献】
【特許分献】
【０００３】
【特許分献１】
【発明が解決しようとする課題】
【０００４】これは、次のような欠点があった。
（イ）自然に吹く風力次第の発電であり、安定供給ができず、主力発電にはなり得なかった。
本発明は以上の様な欠点をなくす為になされた。
【課題を解決するための手段】
【０００５】従来の風力発電設備のブレードをホイールに付け替えハイブリットな動力で発電する。
本発明は以上の構成よりなる無風力ハイブリット発電である。
【発明の効果】
【０００６】（イ）  風力以外のハイブリット動力のため計画発電できる。
（ロ）  風力以外のハイブリット動力のため平地に設置できる。
（ハ）  ブレードがないため、コンパクトな設備に収まり広大な土地の面積を必要としない。
（ニ）  騒音、ブレードによる低周波振動もなく工業団地、又は住宅地の近隣でも、充分設置可能であり、従って  大数量の施設の建設ができる。
【図面の簡単な説明】
【０００７】
【図１】  本発明の正面図である。
【図２】  本発明の側面図である。
【図３】  本発明の側面図である。
【発明の実施するための形態】
【０００８】以下、発明の実施をするための形態について説明する。
図１、図２で、ブレードをベルト用ホイールに付け替えそれはハブ本体と一体化しています。
ホイールを回転させるために電磁クラッチ付きモーターと、張力を調整するテンションローラーが取り付けられている。
運転稼働させる時は、動力の回転力を伝導ベルトを介して、ホイールが回転します。
そして  最初はゆっくりの回転ですが、除々に回転慣性エネルギーを生じて  発電可能となり連続運転となる。
図３は  図２の仕組みの中でホイールの回転初期にハブに衝撃をできるだけ与えないようにする時伝導ホイールをハブ回転ホイールを仕組み取り付け伝導ホイールを先行して回転した後、磁石を近ずける事によって、ハブ回転ホイールが除々に回転を始める様に仕組んだものです。
ハイブリット動力は太陽光発電あるいはこの発電の一部を蓄電池に蓄え、又油圧機器等を複合化して、小さな動力で効率化を計り大きな運動をする様に仕組みます。
【符号の説明】
【０００９】１  電磁クラッチ付モーター
２  モーター用ホイール
３  伝導ベルト又はチェーン
４  伝導ホイール
５  テンションローラ
６  コンバーター
７  増速機
８  発電機
９  発電本体部
１０  永久磁石
１１  電磁石
【図１】
2016063730.tif 000003
【図２】
2016063730.tif 000004
【図３】
2016063730.tif 000005
(57)【要約】【課題】交通信号機の着雪を除去する為の融雪手段に於いて、着雪の検出手段を提供することを目的とする。【解決手段】信号機の光源を信号機の外部に放射する透光性パネル１と、透光性パネル１の背面の適当な位置に構築した光センサーによって、信号機のパネル前面２に着雪した雪を光センサーが検出して、融雪の為の熱源を制御する構成をする。【選択図】図１
2016192197.tif 000002
【特許請求の範囲】
【請求項１】
信号機の透光性パネルと、前記透光性パネルの光源側である前記透光性パネル背面に設けられた数個の光センサーと、前記透光性パネル背面又は、内面に設けられた数個の熱源となるヒーターを備え、前記光センサーが前記信号機の透光性パネル前面の着雪を検出した時だけ前記ヒーターが通電して発熱をし、前記透光性パネル前面の着雪を融雪する事により着雪による信号灯の認識不能を防止する事を可能にする為に、融雪の為の熱源を着雪時だけ稼働して融雪をし、融雪の為の電力を省電力化する為に、前記光センサーによって熱源を効率よく制御する為の構造を特徴とした着雪検出方法。
【発明の詳細な説明】
【技術分野】
【０００１】本発明は、交通信号機の着雪によって信号認識が困難になる状態を防止する為の手段に関する。
【背景技術】
【０００２】近年信号灯器の光源が電球からＬＥＤに変わり長寿命と省電力化に於いて進歩した為、降雪地帯の信号灯器に着雪が多くなって視認性が悪くなったという問題が発生した。【０００３】そのために信号灯器の融雪について、ヒーター等の発熱体を用いたり信号灯器の構造改革による熱源を使用しない対策が取り入れている。
【発明の概要】
【発明が解決しようとする課題】
【０００４】本発明は、特に熱源を使用した融雪構造の信号灯器に於いて最も効果的な熱源制御手段を講じる事を目的とする。
【課題を解決するための手段】
【０００５】前記の課題を解決し目的を完成する為には、着雪面を融雪可能にする温度が必要であり、本発明の信号灯器は複数のヒーターと複数の着雪センサーを有し、着雪センサーが着雪を検出した場所を集中的に融雪用のヒーターを動作させ、着雪が少ない内に融雪し着雪が消えたら即刻ヒーターを遮断して融雪用の電力を有効に使用する手段を講じる。
【発明の効果】
【０００６】上記の標準の信号灯器の照射面は直径３０センチであり、着雪は通常照射面の一部から始まると考えられる。その為融雪用ヒーターは融雪に最も効果的な場所に埋設し、融雪が完了するとヒーターを遮断して省電力効果を発揮する。
【図面の簡単な説明】
【０００７】
【図１】本発明の実施例１の信号灯器の斜視図である。
【図２】本発明の実施例に於ける積雪を検出する為の光センサーの動作を説明する為の透光性パネルの一部断面図である。
【発明を実施するための形態】
【０００８】以下本発明の信号灯器を実施する実施例を図面をもって説明する。
【実施例】
【０００９】本発明の着雪検出方法について実施例を以下図１、図２を用いて説明するが、光サンサー以外の近接センサーを使用した着雪検出方法にも適用する。【００１０】図１において、透光性パネル（８）は透明で無色のプラスチック等で形成されていて信号灯器の開口部に設け、信号用放射光を外部に放射する。【００１１】本実施例の光センサーＲ（２），Ｃ（３），Ｌ（４）は透光性パネル前面（７）に付着した着雪を検出する為の光センサーであり透光性パネル（８）の着雪を検出する為の任意の場所に埋設する。【００１２】図２に於ける光センサーＲ（２）は反射型光センサーであり、光センサーＲ（２）から放射した光が透明パネル（８）の前面の着雪に当って反射することによって透明パネル前面（７）の着雪の有無を判断する。【００１３】ヒーターＲ（５），ヒーターＬ（６）は透光性パネル前面（７）の着雪を融雪する為のヒーターであり、光センサーの情報によって制御される。【００１４】今、図２の放射光（９）は光センサー（２）の設定距離の範囲内に反射する物体が無い場合は反射光（１０）は派生しないので着雪が無いと判定して加熱用のヒーター（５）、ヒーター（６）は稼働しない。【００１５】次に透光性パネル前面（７）に着雪（１１）が出来た場合、放射光（９）は着雪（１１）により反射されて反射光（１０）が発生し、着雪がある事を判定してヒーター（５）、ヒーター（６）の何れか又は双方を稼働させて融雪をする。【００１６】融雪が完了して反射光（１０）の入力が無くなった時はヒーターの稼働は停止する。【００１７】信号機の融雪動作は、「００１４項」、「００１５項」、「００１６項」を常時繰り返していて着雪が発生した時は信号灯器への着雪が少ない内に短時間に融雪をすることが出来る。
【産業上の利用可能性】
【００１８】本発明は、従来信号灯は光源に電球を使用していた為、電球の発熱による融雪ができたのがＬＥＤ光源に変更した為に光源による発熱を融雪に利用出来なくなり信号灯の着雪によって認識不能という問題が起きているが、熱源でＬＥＤ信号灯器の着雪を防ぐためには電球による信号灯器と同様の熱量が有れば着雪を防止出来る。    その為信号灯器に融雪の為の熱源を構築して、電力の負担を少なくする為に融雪に必要な時と必要な場所にだけヒーター等の熱源を稼働する構成が良いと考える。【００１９】本発明の着雪防止方法の効果としては積雪が少量の時から融雪を開始するので融雪の為の時間が少ない。光センサーによって積雪のある場所の融雪に有効な場所のヒーターが稼働するので無駄に熱源を使用することが無く融雪効果が大きく、省電力効果が大きい。
【符号の説明】
【００２０】１：透光性パネル背面２：光センサーＲ３：光センサーＣ４：光センサーＬ５：透明ヒーターＲ６：透明ヒーターＬ７：透光性パネル前面８：透光性パネル９：放射光１０：反射光１１：着雪
【図１】
2016192197.tif 000003
【図２】
2016192197.tif 000004
(57)【要約】【課題】光ナノインプリント法の離型問題を解決する。【解決手段】光ナノインプリント用モールドが押し当てられた光硬化樹脂の各部位によって樹脂の硬化完了時間が異なるように制御することで、基板の平面方向の硬化した光硬化樹脂の歪を吸収し又基板の平面方向の硬化した光硬化樹脂の歪の方向がまとまることを防ぐ。【選択図】図１
2016192533.tif 000002
【特許請求の範囲】
【請求項１】
光ナノインプリント用モールドを押し当てられた光硬化樹脂の各部位によって硬化完了時間が異なるように制御された光ナノインプリント樹脂硬化方法。
【請求項２】
紫外線透過度がモザイク状に各部分によって異なる紫外線フイルターを通して光硬化樹脂に紫外線を照射する請求項１記載の光ナノインプリント樹脂硬化方法。
【請求項３】
光ナノインプリント用モールドを押し当てられた光硬化樹脂を、小範囲に集中する紫外線ビームで走査し、樹脂硬化を完了する請求項１記載の光ナノインプリント樹脂硬化方法。
【発明の詳細な説明】
【０００１】  本発明は、光ナノインプリント樹脂硬化方法に関する。
【背景技術】
【０００２】  従来ナノインプリント方法でナノサイズの微細パターンを安価に形成しその一方法として光ナノインプリント法があった。【０００３】  そこで実用化のため、離型欠陥の低減と処理能力の向上が求められている。
【先行技術文献】
【０００４】
【非特許文献１】光ナノインプリントリソグラフイ技術  東芝２０１２／０４
【発明の概要】
【発明が解決しようとする課題】
【０００５】  従来のナノインプリント技術では、処理能力を優先して早く離型すれば、離型欠陥の発生確立が高まっていた。【０００６】  本発明は、このような従来の問題を解決し、スループツトが良くかつ離型欠陥が少ない光ナノインプリント樹脂硬化方法を提供しようとするものである。
【課題を解決するための手段】
【０００７】  そして本発明は上記目的を達成するために光ナノインプリント用モールドを押し当てられた光硬化樹脂を小範囲に分割して、各小範囲の樹脂硬化速度に差をつけるため、モザイク状に各部分で紫外線透過度に違いがある紫外線フイルターを通した照射紫外線にて光硬化樹脂を硬化している。
【発明の効果】
【０００８】  本発明光ナノインプリント樹脂硬化方法は、上記の様な形態をとっているので、光ナノインプリント用モールド直下の一番先に樹脂硬化が完了する小範囲であれば、基板とモールド間の光硬化樹脂が収縮することによるモールドの微細パターン内の硬化した光硬化樹脂の基板平面方向の歪が小さく、モールドの微細パターンの側壁と強く接触しない。【０００９】  この時、一番先に硬化した光硬化樹脂の隣の小範囲が、基板の平面方向の光硬化樹脂の歪の緩衝地帯となり、光硬化樹脂が基板の平面方向に全体がまとまって収縮することを防いでいる。【００１０】  次に一番先に硬化した光硬化樹脂の隣の小範囲が遅れて硬化が完了するが一番先に硬化完了した光硬化樹脂がすでに基板と強固に固着しているので、壁となり基板の平面方向に光硬化樹脂がまとまって収縮する事を防いでいる。
【図面の簡単な説明】
【００１１】
【図１】  本発明紫外線フイルターの説明図
【発明を実施するための形態】
【００１２】  以下本発明ナノインプリント樹脂硬化方法の実施例を図に基づいて説明する。
【実施例】
【００１３】  本発明光ナノインプリント樹脂硬化方法は、図１に示すように碁盤の目の様な仕切りを有し、各隣り合った仕切りは、一方は紫外線を良く通すますめ１、もう一方は紫外線の透過が悪いますめ２で構成された紫外線フイルター３を通して、光ナノインプリント用モールドを照射する。【００１４】  こうすることで、紫外線を良く通すますめ１を透過した紫外線により基板と光ナノインプリント用モールド間の樹脂は、もう一方の紫外線の透過が悪いますめ２を透過紫外線照射された基板と光ナノインプリント用モールド間の樹脂より早く硬化する。【００１５】  従って紫外線を良く通すますめ１を透過した紫外線により硬化した光硬化樹脂の硬化完了時の基板平面方向の歪は、紫外線の透過が悪いますめ２を透過した紫外線が照射されまだ硬化が完了していない光硬化樹脂の部分で吸収される。【００１６】  次に紫外線の透過が悪いますめ２を透過した紫外線が光硬化樹脂を硬化完了さす時に発生する光ナノインプリント用モールドと基板との間の硬化した光硬化樹脂の基板水平方向の歪は、周囲の早く硬化完了した光硬化樹脂が壁となり、歪そのものが小さくなり、かつ光ナノインプリント用モールドが押し当てられた他の部分の硬化した光硬化樹脂の基板平面方向の歪との連携がなく、まとまって大きな歪とならない。【００１７】  他の実施例として、光ナノインプリント用モールドが押し当てられた光硬化樹脂全体に、あらかじめ完全に硬化しない程度の紫外線を照射しておいて、【００１８】  最後に狭い範囲に集束する強い紫外線ビームで、光ナノインプリント用モールドが押し当てられた光硬化樹脂全体を走査し、樹脂の硬化を完了さす実施例がある。【００１９】  こうすることで、光硬化が完了した部分は基板と強固に固着し、歪を伝えない、又光硬化が完了していない部分は歪を吸収する。【００２０】  いずれの実施例でも、光硬化樹脂が光硬化完了する時に発生する基板平面方向の歪が一定方向にまとまる事がなく大きな歪とならないので、【００２１】  光ナノインプリント用モールドの微細パターン内で光硬化した樹脂は、収縮して光ナノインプリント用モールドの微細パターン内の側壁と強く接触しないので、離型問題が解決している。
【産業上の利用可能性】
【００２２】  本発明は、光ナノインプリント一般、特に離型剤使用できない場合や半導体リソグラフイーに利用ができる。
【符号の説明】
【００２３】  １  紫外線を良く通すますめ
２  紫外線の透過が悪いますめ
３  紫外線フイルター
【図１】
2016192533.tif 000003
(57)【要約】【課題】課題  ペットの汚物処理の簡略及化び敏速化により再食防止、健康維持、延命化及び飼育無人化を視野に提供。【解決手段】汚物処理をペットハウス床面を専用床及び移動床を組込設置し水洗層に、移動し汚物を、水洗処理し下水・浄化槽に排出する【選択図】図１
2016096745.tif 000002
【特許請求の範囲】
【請求項１】
1.飼育ハウスと水洗トイレの一体化及び機能が接続機能  2.飼育ハウス床下又は横移動水洗処理機能  3.棒床の支点から先端までと同一方向に平行移動する移動床、平行清掃排出処理  4.自動及び手動、水洗清掃  5.建築・ビルへ組込、設置、運搬機器に設置、搭載、専用運搬具・車輌機器      
【発明の詳細な説明】
【技術分野】
【０００１】
ペット家畜動物、飼育分野  運搬輸送分野  住宅店舗建設分野
【先行技術文献】
【特許文献】
【０００２】
【特許文献１】特開2013-42680
【特許文献２】特開2013-212089
【発明の概要】
【発明が解決しようとする課題】
【０００３】
ペット健康維持  医療費削減  汚物清掃簡略化虐待不法放置防止対策  飼育環境（糞再食防止）雑菌対策  身障者高齢者飼育補助、  ペット輸送運搬分野清掃補助
【課題を解決するための手段】
【０００４】
1.ペットハウスの床に、専用棒床先端まで平行移動床を一体化汚物清掃機能を配置  2.汚物を水を張った水洗層に移動し、水流で水洗清掃排出行う
【発明の効果】
【０００５】
数年の糞の再食防止簡易実験の結果、以前のような再食が原因の病気は無くなり、高額な医療費も無しに、健康体で病気死亡が無くなり、予想を超えた効果や、手軽に清掃も出来る効果的ある。
【図面の簡単な説明】
【０００６】
【図１】正面図を示す
【図２】.背面図を示す
【図３】.水洗層を示す
【図４】排出処理槽を示す
【図５】ハウス床面を示す
【図６】移動床面を示す
【図７】移動床動作時を示す
【図８】移動床静止時を示す
【発明を実施するための形態】
【０００７】
ペットハウス床を挟み込み防止の為専用棒床にて、下位置に棒床に平衡移動する移動床を設置、汚物を床全体移動又は清掃レーンワイパー清掃遺棄し、更に薄く水を張った水洗層に移し、水流で、汚物槽に排出、下水及び浄化槽に排出又は廃棄・移送する。
【実施例】
【０００８】
汚物を、移動床で清掃、水洗層に移し、水洗にて、汚物タンクから浄化槽、下水に、排出する
【産業上の利用可能性】
【０００９】
愛玩飼育者にとっては、動物病院の医療費が高額の為、高額の医療費の現状に、癒し効果よりも、高額な医療費に耐え切れず不法投棄、放置が後を絶たない現状、更に、煩わしい、汚物、清掃が素早くできることが製品化の目標ですが、更にペットの虐待防止、延命や健康維持・医療費抑制、高齢者や身障者等、身体の不自由な人などにも、幅広く貢献できる、分野や建築、更に、陸・海・空の輸送、ホテル、旅館、幼稚園、レジャー施設展示などにも、幅広く実用的に世界中に貢献出来る。  
【符号の説明】
【００１０】
1aは、ペットハウスを示し,1bは、水洗層を示す、1cは,移動床の位置を示す
2a.は、ハウスを示し、2b、水洗層を示す、2c.は、排出ボックスを示す
3a.移動床位置を示し、3b.は、内部の水洗層を示し、3c.は、排出系を示し、3d.は、電源室示す
4a.排出槽内部を示し、4b.排出部を示す、4ｃ.排出処理部を示す、4ｄ.排出口を示す
5a.ハウス棒床の終端を示す、5b.棒状床支点位置を示し、5c.棒状床の間隔を示し、5d.は、排出物の落下処理位置を示す
6a.清掃レーンを示す、6b.移動床を示す、6c.清掃具を示し、6d.清掃レーンと移動床の間隔を示す、6e.移動床の終端を示す
7aは、ハウス棒床を示す、7ｂ.は、移動床面位置を示し、7c.は、移動床上下位置示す
8a.ハウス棒床を示し、8b.移動床位置を示す、8c.移動床上下位置高さを示す。
【図１】
2016096745.tif 000003
【図２】
2016096745.tif 000004
【図３】
2016096745.tif 000005
【図４】
2016096745.tif 000006
【図５】
2016096745.tif 000007
【図６】
2016096745.tif 000008
【図７】
2016096745.tif 000009
【図８】
2016096745.tif 000010
(57)【要約】【課題】  レーザー光を遠隔から直接に光電変換素子の単体素子に正確に照射する構成にしたレーザー光発電装置を提供する。【解決手段】レーザー光を発生させるレーザー光発生手段と、前記レーザー光発生手段からのレーザー光を光電変換素子で生成される単体に照射させる受光手段と、からなるレーザー光発電装置を提供する。【選択図】図１
2016096707.tif 000002
【特許請求の範囲】
【請求項１】
レーザー光を発生させるレーザー光発生手段と、前記レーザー光発生手段からのレーザー光を光電変換素子で生成される単体に照射させる受光手段と、からなることを特徴とするレーザー光発電装置。
【請求項２】
前記受光手段は、複数のレーザー光のそれぞれに対応する光電変換素子からなる単体を有することを特徴とする請求項１に記載のレーザー光発電装置。
【請求項３】
前記受光手段の前面に光線透過反射防止部材を設けたことを特徴とする請求項１に記載のレーザー光発電装置。
【発明の詳細な説明】
【技術分野】
【０００１】  本発明は、レーザー光発電装置に関し、詳しくはレーザー光線を遠隔に設置した光電変換素子に正確に照射させることで所定の電力を発生させるようにしたレーザー光発電装置に関する。
【背景技術】
【０００２】  従来技術におけるレーザー光発電装置は、レーザー光を用いて発電する手法として種々のものが存在する。例えば、励起させたレーザー光をファイバーを介して光電変換素子に照射して電力を得る手法が存在する。
【先行技術文献】
【特許文献】
【０００３】
【特許文献１】特開２００８−１３０９２２号公報
【発明の開示】
【発明が解決しようとする課題】
【０００４】  しかしながら、従来技術で説明したものはレーザー光を遠隔から光電変換素子に照射させるというものではなく、あくまでもファイバーを介在させ、ファイバーの端面で光調整を行って光電変換素子に照射するものである。【０００５】  従って、上記問題点を解決するために、レーザー光を遠隔から直接に光電変換素子の単体素子に正確に照射する構成に解決しなければならない課題を有する。
【課題を解決するための手段】
【０００６】  上記課題を解決するために、本願発明のレーザー光発電装置は、次に示す構成にしたことである。【０００７】（１）レーザー光発電装置は、レーザー光を発生させるレーザー光発生手段と、前記レーザー光発生手段からのレーザー光を光電変換素子で生成される単体に照射させる受光手段と、からなることである。
（２）前記受光手段は、複数のレーザー光のそれぞれに対応する光電変換素子からなる単体を有することを特徴とする（１）に記載のレーザー光発電装置。
（３）前記受光手段の前面に光線透過反射防止部材を設けたことを特徴とする（１）に記載のレーザー光発電装置。
【発明の効果】
【０００８】  本発明においては、遠隔からのレーザー光を光電変換素子の単体素子の受光部分に正確に照射させることで、光電変換素子の受光効率を最大限に発揮させることができるという効果がある。
【発明を実施するための最良の形態】
【０００９】  次に、本願発明に係るレーザー光発電装置について図面を参照して説明する。【００１０】  本願発明の第１の実施例のレーザー光発電装置は、図１に示すように、レーザー光を発生させるレーザー光発生装置１１と、レーザー光発生装置１１から発射されたレーザー光１４を受信する光電変換素子１２とからなる。
レーザー光発生装置１１は、レーザー光１４を発生させるもので、光電変換素子１２の単体素子１２の数だけのレーザー光１４を発射させることができる構造となっている。
光電変換素子１２は、レーザー光１４を受信するための単体素子１３を備え、この単体素子１３は発射されるレーザー光１４の数に応じた数だけ設定されている。【００１１】  このような構成において、レーザー光発生装置１１から発射されたレーザー光１４は、遠隔に設置されている単体素子１３に照射される。このレーザー光１４の照射方向は単体素子１３の面に当たるように設計されている。【００１２】  次に、第２の実施例のレーザー光発電装置について説明する。第２の実施例のレーザー光発電装置は、図２に示すように、レーザー光１４を発生させるレーザー光発生装置１１と、レーザー光発生装置１１から発射されたレーザー光１４を受信する光電変換素子１２と、光電変換素子１２の前面に設けた光線透過反射部材１５とからなる。【００１３】  レーザー光発生装置１１は、第１の実施例のレーザー光発生装置と同じく、レーザー光１４を発生させるもので、光電変換素子１２の単体素子１３の数だけのレーザー光１４を発射させることができる構造となっている。
光電変換素子１２は、第１の実施例の光電変換素子と同じく、レーザー光１４を受信するための単体素子１３を備え、この単体素子１３は発射されるレーザー光１４の数に応じた数だけ設定されている。
光線透過反射部材１５は、透明な板部材で単体素子１３の前面に設置する構成になっている。このような板部材を取り付けることで入射するレーザー光１４を反射させて効率良くレーザー光を取り込むことが可能になる。
【産業上の利用可能性】
【００１４】  レーザー光を遠隔から直接に光電変換素子の単体素子に正確に照射するレーザー光発電装置を提供する。
【図面の簡単な説明】
【００１５】
【図１】  本願発明の第１の実施例のレーザー光発電装置を示す説明図である。
【図２】  同、第２の実施例のレーザー光発電装置を示す説明図である。
【符号の説明】
【００１６】１１      レーザー光発生装置
１２      光電変換素子
１３      単体素子
１４      レーザー光
１５      光線透過反射部材
【図１】
2016096707.tif 000003
【図２】
2016096707.tif 000004